(57)【要約】【課題】簡単に、かつ、確実に、扉開閉機構を修理できるようにする。【解決手段】消火栓開口部１１ａを開閉する消火栓扉１２と、該消火栓扉１２を開閉する扉開閉機構１５と、を備えた消火栓装置１であって；前記消火栓扉１２及び前記扉開閉機構１５を、消火栓ボックス３に着脱される前面板１１に設け前面ユニット１０を形成する。【選択図】  図１
2004216055.tif 000002
【特許請求の範囲】
【請求項１】
消火栓開口部を開閉する消火栓扉と、該消火栓扉を開閉する扉開閉機構と、を備えた消火栓装置であって；
前記消火栓扉及び前記扉開閉機構を、消火栓ボックスに着脱される前面板に設け前面ユニットを形成したことを特徴とする消火栓装置。
【請求項２】
前面ユニットが、消火栓ボックスの前面化粧パネル、又は、本体にねじ止めされていることを特徴とする請求項１記載の消火栓装置。
【請求項３】
前面板が、前面化粧パネルと兼用であることを特徴とする請求項１記載の消火栓装置。
【発明の詳細な説明】
【０００１】
【発明の属する技術分野】
この発明は、消火栓装置に関するものであり、特に、トンネル内に配設される消火栓装置に関するものである。
【０００２】
【従来の技術】
トンネル内には、所定間隔で消火栓装置が配設されているが、この消火栓装置には、消火栓扉のついた消火栓ボックスが設けられている。前記消火栓扉は、本体に連結された扉開閉機構により開閉される（例えば、特許文献１参照）。
【０００３】
【特許文献１】実公昭５５−２８２８６号公報
【０００４】
【発明が解決しようとする課題】
扉開閉機構は、トンネル内の湿気や排気ガスなどの影響により故障することがある。この扉開閉機構が故障すると、消火栓扉が開かなくなったり、又は、開けるのが困難になるので、消火栓装置としては致命的な欠陥となる。
そこで、扉開閉機構の修理や交換が必要となるが、その作業は必ずしも容易ではない。
【０００５】
即ち、複雑な修理が必要な場合には、専門の技術者でないと修理できない。そのため、専門の技術者を現場に直行させて修理させるか、又は、扉及び扉開閉機構を取り外して修理工場に運び、専門の技術者に修理させなければならない。
【０００６】
しかし、現場で修理する場合には、トンネル内で交通規制をしなければならず、又、修理が完了するまで消火栓装置が使用できない。
【０００７】
又、扉開閉機構を修理工場に運ぶ場合には、該扉開閉機構は本体に連結されているので、消火栓装置全体を取り外さなければならない。
ところが、該消火栓装置の取外しには、次の様な問題がある。
（１）フォークリフト車などの重機や、多くの作業員が必要となる上、長時間交通規制をしなければならない。
（２）修理する消火栓装置を修理工場に運び、再び取り付けるまでの間、警戒ブランク期間となる。
なお、前記（１）の問題は、修理完了後の消火栓装置を元の位置に取り付ける場合にも発生する。
【０００８】
この発明は、上記事情に鑑み、簡単に、かつ、確実に、扉開閉機構を修理できるようにすることを目的とする。
【０００９】
【課題を解決するための手段】
この発明は、消火栓開口部を開閉する消火栓扉と、該消火栓扉を開閉する扉開閉機構と、を備えた消火栓装置であって；前記消火栓扉及び前記扉開閉機構を、消火栓ボックスに着脱される前面板に設け前面ユニットを形成したことを特徴とする。
【００１０】
この発明の前面ユニットは、消火栓ボックスの前面化粧パネル、又は、本体にねじ止めされていることを特徴とする。この発明の前面板は、前面化粧パネルと兼用であることを特徴とする。
【００１１】
【発明の実施の形態】
この発明の実施の形態を図１及び図２により説明するが、図１は、実施の形態を示す斜視図、図２は前面ユニットの背面図である。
トンネル内には、所定間隔で消火栓装置１が配設されている。この消火栓装置１には、消火栓ボックス３が設けられており、この消火栓ボックス３内には、図示しない給水管に設けられた消火栓と、消火栓を開閉する消火栓レバーと、消火栓に連結された消火ホースと、消火ホースの先端に設けたノズルと、が収納されている。
【００１２】
この消火栓ボックス３は、本体５と、該本体５の前面を覆う前面化粧パネル７と、を備えている。このパネル７の中央部には、前面ユニット取付部９が設けられている。この前面ユニット取付部９は、例えば、図示しない開口が形成され、この開口の周縁が凹んだ段部を形成して、後記する前面ユニット１０の受け構造になっている。この内周縁には、図示しないねじ穴が設けられ、前記段部と共に、前面ユニット取付部９を構成している。
【００１３】
前面ユニット１０は、消火栓開口部１１ａを有する前面板１１と、この前面板１に設けられ、該消火栓開口部１１ａを開閉する消火栓扉１２と、該前面板１１に搭載され前記消火栓扉１２を開閉する扉開閉機構１５と、から構成されている。
【００１４】
前面板１１は、長方形状に形成され、その四隅部及び両側中央部にはねじ穴１１ｎが設けられ、その中央部には、長方形状の消火栓開口部１１ａが設けられている。この消火栓開口部１１ａの両側縁には、消火栓扉１２の摺動を案内するガイド部１１ｇが設けられている。前記前面板１１及び消火栓開口部１１ａの大きさや形状は、必要に応じて適宜選択される。前記前面板１１は、ねじ穴１１ｎを通してねじ２０により前記前面化粧パネル７の前面ユニット取付部９のねじ穴に着脱可能に固定される。
【００１５】
消火栓扉１２は、前面板１１の背面側に設けられており、その形状は前記消火栓開口部１１ａと相似する長方形状に形成されている。この消火栓扉１２の形状や大きさは、必要に応じて適宜選択される。前記扉１２の下部には、取手１２ａが設けられている。消火栓扉１２の裏面側には、図示しないラッチ機構が設けられており、このラッチ機構は、取手１２ａを引くことによりロックが解除される。
【００１６】
扉開閉機構１５は、前面板１１の裏面に固定された、定荷重ばね１６を備えている。  このばね１６は、消火栓扉１２の両側に配設され、その先端部は連結部材１７を介して該消火栓扉１２の上端部に連結されている。
【００１７】
次に、本実施の形態の作動について説明する。
扉開閉機構が正常な場合：
取手１２ａに手をかけて持ち上げると、ラッチ機構のロックが解除され、該扉１２は自動的に一点鎖線で示す位置１２Ａまで上昇し、消火栓開口部１１ａが全開する。
【００１８】
この状態で消火栓開口部１１ａに手を入れて必要な操作を行う。
【００１９】
消火栓扉１２を閉める時には、取手１２ａに手をかけ下方に引くと、該扉１２は元の状態に戻り、ラッチ機構が作動しロックされる。
【００２０】
扉開閉機構が異常な場合：
前面板１１のねじ２０を外し、前面ユニット１０を前面化粧パネル７から外す。
【００２１】
次に、持参した新しい前面ユニット１０の裏面側と、前記パネル７の表面側を対向させ、前面ユニット１０を前面ユニット取付部９の段部に受け合わせ、前面ユニット取付部９のねじ穴と前面板１１のねじ穴１１ｎとを位置合わせした後、前記ねじ穴にねじ２０をねじ込み、着脱可能に固定する。この様に前面ユニット取付部９を前面ユニット１０の受け構造としたので、前面ユニット１０を前面板１１に取り付けるとき、容易に合わせることができ、多少重い前面ユニットでも１〜２人で作業ができる。
取り外した古い前面ユニット１０は、修理工場に運び、専門の技術者による修理及び故障原因の解明を行なう。
【００２２】
この発明の実施の形態は、上記に限定されるものではなく、例えば、次のようにしても良い。
（１）前面ユニットを前面化粧パネルに設ける代わりに、消火栓ボックスの本体に設ける。例えば、前面ユニットを前面化粧パネルとは別個に、本体の図示しない内部フレームなどにねじ止めする。
（２）前面板を前面化粧パネルと兼用にする。
（３）消火栓扉を上下方向にスライドさせる扉開閉機構の代わりに、扉を前傾させる扉開閉機構、或いは、扉を横方向にスライド、又は、横回転させる扉開閉機構を用いる。
【００２３】
【発明の効果】
この発明は、消火栓扉及び前記扉開閉機構を、消火栓ボックスに着脱される前面板に設け前面ユニットを形成したので、該扉開閉機構等が故障したときには、この前面ユニットの交換だけで済む。そのため、従来例と異なり、警戒ブランク期間が発生せず、又、重機を使用することなく、例えば、２，３人の作業者で着脱でき、小さな作業のスペースで済む。
【００２４】
作業のスペースが確保できれば、交通規制が不要、又は、短時間軽微な交通規制で済む。
更に、簡単な故障であれば、前面ユニットを外して、その場ですぐに修理することができる。
【図面の簡単な説明】
【図１】この発明の実施の形態を示す斜視図である。
【図２】前面ユニットの背面図である。
１    消火栓装置
３    消火栓ボックス
５    本体
１０    前面ユニット
１１    前面板
１２    消火栓扉
１５    扉開閉機構
【図１】
2004216055.tif 000003
【図２】
2004216055.tif 000004